(57)【要約】【課題】  本発明は見切りが自由に設定できる太陽電池付時計において、従来の金属板への接着部材での貼り付け構造であると、太陽電池１０が金属板から剥がれてしまうなどの品質問題が発生しており、また、時計ムーブメントに太陽電池１０を組み込み固定する上でコストが高い、あるいは、太陽電池付時計の充電性能の低下という課題があり、低コストで品質の安定化、充電性能向上を図ったムーブメント構造を提供するものである。【解決手段】  金属板または樹脂フィルムを基材として用いている太陽電池１０を太陽電池１０の受光発電部１０ｂを避ける様に太陽電池１０の外周部１０ｃのみ平面的に重なる構成の成形部材である太陽電池支持枠２０に位置決め固定することで時計ムーブメント１に太陽電池１０を固定することを特徴とする。【選択図】      図１
2005221447.tif 000002
【特許請求の範囲】
【請求項１】
金属板または樹脂フィルムを基材として用いている太陽電池と、該太陽電池からのエネルギーにより駆動される時計ムーブメントと、該時計ムーブメントを収納するための時計ケースで構成された太陽電池付時計において、前記太陽電池は前記時計ムーブメントに前記太陽電池の受光発電部を避ける様に前記太陽電池の外周部のみ平面的に重なる様に構成される太陽電池支持枠によって固定することを特徴とする太陽電池付時計。
【請求項２】
前記太陽電池の上面に光透過性の文字板を配置し、当該文字板は文字板固定枠により前記時計ムーブメントに固定することを特徴とする請求項１記載の太陽電池付時計。
【請求項３】
前記太陽電池の下面に金属板を配置し、前記太陽電池支持枠が前記太陽電池とともに前記金属板を固定することを特徴とする請求項１又は請求項２の何れかに記載の太陽電池付時計。
【請求項４】
前記太陽電池の下面に成形部材である太陽電池支持台を配置し、前記太陽電池支持枠が前記太陽電池とともに前記太陽電池支持台を固定することを特徴とする請求項１乃至請求項３に何れかに記載の太陽電池付時計。
【発明の詳細な説明】
【技術分野】
【０００１】
本発明は、充電機能を有した太陽電池付時計の太陽電池の時計ムーブメントへの固定構造に関する。
【背景技術】
【０００２】
近年、太陽電池により発電したエネルギーを、完成時計ムーブメント内に配置した二次電池やキャパシタ等の蓄電体に充電して駆動させる充電式太陽電池時計が数多く製品化されている。その充電式太陽電池時計の中で本出願人は国際公開番号ＷＯ００／０３３１０号において、ケ−スに位置決め固定するための中枠部材に光透過性のある文字板を取り付けることにより文字板と中枠部材の変更のみにて見切り部を自由に設定でき、多種多様なデザインに対応可能としている太陽電池付時計における太陽電池と、太陽電池からのエネルギーにより駆動される時計ムーブメントとの固定構造を開示している。その構成を以下に従来技術として説明する。
【０００３】
図１５は従来の太陽電池付時計の太陽電池の太陽電池からのエネルギーにより駆動される時計ムーブメントへの固定構造の一例を示す太陽電池付時計の部分断面図であり、図１６はその平面図である。図において、１は太陽電池からのエネルギーにより駆動される時計ムーブメント、３は金属製の地板、４は金属製の輪列受である。５はステップモータにより運針する輪列ブロック（詳細な図示説明は省略）で、回路基板６からの基準信号より秒針７ａ、分針７ｂ、時針７ｃを運針させる。８はプラスチック製の回路支持台であり、固定ネジ９により輪列ブロック５、回路基板６とともに地板３と輪列受４にはさみ込まれる積層構造にて固定される。
【０００４】
１０は金属板を基材とした太陽電池であり、１２は薄い金属板であり、太陽電池１０は金属板１２に両面に粘着性をもった絶縁性の両面テープ１１にて貼付けることにより固定されている。金属板１２はフック部１２ａが回路支持台８のフック係合部８ａと係合することにより、時計ムーブメント１に固定され、太陽電池１０も金属板１２に両面テープ１１にて固定されていることから時計ムーブメント１に固定される。１６は時計ムーブメントをケースに位置決め固定する為の中枠として機能する中枠部材である文字板固定枠である。
【０００５】
図１７は太陽電池１０と回路基板６の導通を示す要部断面図である、図において、１３は導通テープであり、太陽電池１０の上面にある端子１０ｄを異方性導通膜を介して熱圧着されており、板バネ１４と接点をとる導通テープ１３の接点部１３ａは太陽電池１０の下面側へ折り込まれており、板バネ１４は導通テープ１３と回路基板６との導通をとっている。
【０００６】
図１８は図１５〜１７を用いて説明した従来の太陽電池付時計の時計ムーブメント１に文字板１５、文字板固定枠１６を固定した状態を示す部分断面図であり、図１９はその平面図である。図において、１６は文字板固定枠であり、その段部１６ｂを回路支持台８の下面と当接させ、フック部１６ａが回路支持台８のフック係合部８ｂと係合することにより時計ムーブメント１に固定される。１５は文字板であり、その切り欠き部１５ａが文字板固定枠１６の文字板固定ピン部１６ｃに圧入係合されることにより文字板固定枠１６を介して時計ムーブメント１に固定される。１８は時計ケース１７に固定されるガラスである。１７は時計ケースであり、１７ａ見切り部により文字板の見える範囲を決めている。
【０００７】
以上説明した従来技術の太陽電池付時計では、時計ムーブメント１と文字板１５を固定
する文字板固定枠１６と文字板１５を取り替えることにより、時計ムーブメント１と文字板１５とを文字板固定ピン等を使わずに固定できるので、文字板１５や時計ケース１７の大きさが変更されても文字板固定枠１６のみ取り替えることにより対応できるので、見切り部１７ａの位置の異なるケースを自由に設定することが可能である。
【０００８】
【特許文献１】ＷＯ００／０３３１０号（第９−１１頁、第５図）
【発明の開示】
【発明が解決しようとする課題】
【０００９】
しかしながら、上記の様な従来の技術による構造では時計ムーブメント１に太陽電池１０を取り付けるため金属板１２や両面テ−プ１１を使わざるをえず、貼り付けコストがかかり、また貼り付け後の経時劣化や回路基板と導通をとる板バネ１４などの反力よる太陽電池１０の剥がれという品質問題が発生しており、課題であった。即ち、見切りが自由に設定できる太陽電池付時計において、従来の金属板への接着部材での貼り付け構造であると、太陽電池が金属板から剥がれてしまうなどの品質問題が発生しており、また、時計ムーブメントに太陽電池を組み込み固定する上でコストが高い、あるいは、太陽電池付時計の充電性能の低下という課題があった。
本発明の目的は、上記課題を解決し、見切り部を自由に設定できる太陽電池付時計において、太陽電池の時計ムーブメントへの固定構造のコストダウン、品質安定化、あるいは充電性能向上を実現した太陽電池付時計を提供することである。
【課題を解決するための手段】
【００１０】
上記の目的を達成する為に、本発明は太陽電池と、該太陽電池からのエネルギーにより駆動される時計ムーブメントと、該時計ムーブメントを収納するための時計ケースと、前記太陽電池の上面に配置された光透過性の文字板とから構成された太陽電池付時計において、前記太陽電池は前記時計ムーブメントに前記太陽電池の受光発電部を避ける様に前記太陽電池の外周部のみ平面的に重なる様に構成される太陽電池支持枠によって固定することを特徴とする。
即ち、前記太陽電池は前記太陽電池の受光発電部を避ける様に前記太陽電池の外周部のみ平面的に重なる構成の成形部材に位置決め固定されており、前記成形部材が時計ムーブメントに固定されている本構成としたことで、従来の金属板への接着部材での貼り付けを廃止したことより太陽電池が金属板から剥がれてしまうなどの品質問題を解消すると共に、前記太陽電池は前記太陽電池の受光発電部を避ける様に前記太陽電池の外周部のみ平面的に重なる構成の成形部材である太陽電池支持枠に位置決め固定されるので従来と比較して充電性能を落とす心配は無く、時計の充電性能向上の効果がある。そして、特に、前記太陽電池として金属板を基材としたものを用いた場合には、シンプルな本構成にて組み込むことを実現でき、時計ムーブメントに太陽電池を低コストにて組み込み固定することができる。
【００１１】
また、更に、前記太陽電池の上面に光透過性の文字板を配置し当該文字板は文字板固定枠により、前記時計ムーブメントに固定することを特徴とする。
即ち、前記太陽電池は前記時計ムーブメントに固定するとともに、前記文字板は該時計ムーブメントを前記時計ケースに位置決め固定するための中枠部材に取付けた本構成としたことで、充電性能向上のみならず、中枠部材である文字板固定枠のみ取り替えることにより見切りが自由に設定できると共に、時計ムーブメントに太陽電池を低コストにて組み込み固定することができる。
【００１２】
また、更に、前記太陽電池の下面に金属板を配置し、前記太陽電池支持枠が前記太陽電池とともに前記金属板を固定することを特徴とする。
本構成としたことで、太陽電池が樹脂フィルムを基材とした場合に、太陽電池のすぐ下が回路支持台である場合に比べて、太陽電池の太陽電池支持枠への固定をより安定化させる効果がある。即ち、固定強度向上の観点で前記太陽電池を前記太陽電池支持枠により安定して固定できる様に、追加で金属部品を前記太陽電池支持枠に取り付け可能な構造となっている。
【００１３】
また、更に、前記太陽電池の下面に成形部材である太陽電池支持台を配置し、前記太陽電池支持枠が前記太陽電池とともに前記太陽電池支持台を固定することを特徴とする。
本構成としたことで、太陽電池が樹脂フィルムを基材とした場合に、太陽電池のすぐ下が回路支持台である場合に比べて、やはり太陽電池の太陽電池支持枠への固定をより安定化させる効果がある。即ち、固定強度向上の観点で前記太陽電池を前記太陽電池支持枠により安定して固定できる様に、追加で成形部品を前記太陽電池支持枠に取り付け可能な構造となっている。
【００１４】
また、本発明によれば、後に詳述するが、太陽電池と、該太陽電池からのエネルギーにより駆動される時計ムーブメントと、該時計ムーブメントを収納するための時計ケースと、前記太陽電池の上面に配置された光透過性の文字板とから構成された太陽電池付時計において、前記太陽電池は前記時計ムーブメントに前記太陽電池の受光発電部を避ける様に前記太陽電池の外周部のみ平面的に重なる様に構成される太陽電池支持枠によって固定すると共に、更に、前記太陽電池は前記太陽電池支持枠に設けられたフック部により位置決め固定されるので、従来の、金属板に太陽電池を両面テープで貼り付けるという煩雑な接着作業が廃止でき、大きな製造工数の削減が可能であるのとともに、経年劣化などによる太陽電池が金属板から剥がれてしまうという品質問題を解消できる。
【００１５】
また、本発明によれば、後に詳述するが、太陽電池と、該太陽電池からのエネルギーにより駆動される時計ムーブメントと、該時計ムーブメントを収納するための時計ケースと、前記太陽電池の上面に配置された光透過性の文字板とから構成された太陽電池付時計において、前記太陽電池は前記時計ムーブメントに前記太陽電池の受光発電部を避ける様に前記太陽電池の外周部のみ平面的に重なる様に構成される太陽電池支持枠によって固定すると共に、更に、前記太陽電池の下面に金属板と成形部材である太陽電池支持台を配置し、前記太陽電池支持枠が前記太陽電池とともに前記金属板と成形部材である太陽電池支持台を固定することを特徴とする。
本構成としたことで、太陽電池が樹脂フィルムを基材とした場合に、太陽電池のすぐ下が回路支持台である場合に比べて、太陽電池の太陽電池支持枠への固定をより安定化させる効果がある。即ち、固定強度向上の観点で前記太陽電池を前記太陽電池支持枠により安定して固定できる様に、追加で金属部品と成形部品を前記太陽電池支持枠に取り付け可能な構造となっている。
【発明の効果】
【００１６】
説明したごとく本発明によれば、従来の金属板への接着部材での貼り付けを廃止したことより太陽電池が金属板から剥がれてしまうなどの品質問題を解消し、時計ムーブメントに太陽電池を低コストにて組み込み固定することができると共に、前記太陽電池は前記太陽電池の受光発電部を避ける様に前記太陽電池の外周部のみ平面的に重なる構成の成形部材である太陽電池支持枠に位置決め固定されるので、時計の充電性能向上の効果がある。
【発明を実施するための最良の形態】
【００１７】
本発明の見切りが自由に設定できる太陽電池付時計で、時計ムーブメントに太陽電池を組み込み固定する構造について説明する。
【実施例１】
【００１８】
以下、本発明の実施例１を図面に基づいて詳述する。図１は本発明の一実施形態である太陽電池付時計の部分断面図であり、図２はその平面図である。図において、１は太陽電池からのエネルギーにより駆動される時計ムーブメント、３は金属製の地板、４は金属製の輪列受である。５はステップモータにより運針する輪列ブロック（詳細な図示説明は省略）で、回路基板６からの基準信号より秒針７ａ、分針７ｂ、時針７ｃを運針させる。８はプラスチック製の回路支持台であり、固定ネジ９により輪列ブロック５、回路基板６とともに地板３と輪列受４にはさみ込まれる積層構造にて固定される。
【００１９】
１０は金属板を基材とした太陽電池であり、２０は太陽電池１０の受光発電部１０ｂを避ける様に外周部１０ｃのみ平面的に重なる構成の成形部材である太陽電池支持枠であり、図３は図２内に４カ所存在する太陽電池支持枠２０の太陽電池支持枠凸部２０ａ部分を拡大した太陽電池１０の位置決めを示す要部平面図、図４はその部分の断面図であり、太陽電池１０の太陽電池支持枠２０への固定を示す要部断面図である。図において、太陽電池１０の太陽電池凹部１０ａと太陽電池支持枠２０の太陽電池支持枠凸部２０ａとの凹凸の関係から位置決めされ、図４において、太陽電池１０は太陽電池支持枠２０の第１フック部２０ｂに抱え込まれることにより固定される。これより太陽電池１０は太陽電池支持枠２０に位置決め固定されている。また、図１を見るとわかる様に、太陽電池支持枠２０は第２フック部２０ｃが回路支持台８のフック係合部８ａと係合することにより、時計ムーブメント１に固定され、太陽電池１０も太陽電池支持枠２０に固定されていることから時計ムーブメント１に固定される。また太陽電池１０と回路基板６の導通のとりかたは従来と同様になっている。
【００２０】
図５は図１〜４を用いて説明した本発明の充電式太陽電池付時計の時計ムーブメント１に文字板１５、中枠部材である文字板固定枠１６を固定した状態を示す部分断面図であり、図６はその平面図である。図において、１６は文字板固定枠であり、その段部１６ｂを回路支持台８の下面と当接させ、フック部１６ａが回路支持台８のフック係合部８ｂと係合することにより時計ムーブメント１に固定される。１５は文字板であり、その切り欠き部１５ａが文字板固定枠１６の文字板固定ピン部１６ｃに圧入係合されることにより文字板固定枠１６を介して時計ムーブメント１に固定される。１８は時計ケース１７に固定されるガラスである。１７は時計ケースであり、１７ａ見切り部により文字板の見える範囲を決めている。
【実施例２】
【００２１】
以下図面により本発明の実施例２を図面に基づいて詳述する。図７は本発明の一実施形態である太陽電池付時計の部分断面図であり、図８はその平面図である。図において、１は太陽電池からのエネルギーにより駆動される時計ムーブメント、３は金属製の地板、４は金属製の輪列受である。５はステップモータにより運針する輪列ブロック（詳細な図示説明は省略）で、回路基板６からの基準信号より秒針７ａ、分針７ｂ、時針７ｃを運針させる。８はプラスチック製の回路支持台であり、固定ネジ９により輪列ブロック５、回路基板６とともに地板３と輪列受４にはさみ込まれる積層構造にて固定される。
【００２２】
１０は樹脂フィルムを基材とした太陽電池であり、２０は太陽電池１０の受光発電部１０ｂを避ける様に外周部１０ｃのみ平面的に重なる構成の成形部材ある太陽電池支持枠であり、２１は太陽電池１０の下面側へ配置される太陽電池１０と平面外形形状が同形状である金属板であり、２２は金属板２１の下面側へ配置される太陽電池１０と平面外形形状がほぼ同形状で中心部は大きく穴が空いているリング形状の成形部材である太陽電池支持台であり、図９は図８内に４カ所存在する太陽電池支持枠２０の太陽電池支持枠凸部２０ａ部分を拡大した太陽電池１０と金属板２１の位置決めを示す要部平面図、図１０は太陽電池支持枠凸部２０ａ部分を拡大した成形部材である太陽電池支持台２２の位置決めを示す要部平面図、図１１はそれらの部分（図９，図１０）の断面図であり、太陽電池１０の
太陽電池支持枠２０への固定を示す要部断面図である。図において、太陽電池１０は太陽電池１０の太陽電池凹部１０ａと太陽電池支持枠２０の太陽電池支持枠凸部２０ａとの凹凸の関係から位置決めされ、同様に金属板２１は金属板２１の金属板凹部２１ａと太陽電池支持枠２０の太陽電池支持枠凸部２０ａとの凹凸の関係から位置決めされ、太陽電池支持台２２は太陽電池支持台２２の太陽電池支持台凹部２２ａと太陽電池支持枠２０の太陽電池支持枠凸部２０ａとの凹凸の関係から位置決めされるとともに太陽電池支持台凹部２２ａは太陽電池支持枠凸部２０ａに対して一定の締め代を持っている、図１１において、太陽電池１０は金属板２１と太陽電池支持台２２とともに太陽電池支持枠２０の第１フック部２０ｂに抱え込まれることにより固定される。これより太陽電池１０は太陽電池支持枠２０に位置決め固定されている。また、図７を見るとわかる様に、太陽電池支持枠２０は第２フック部２０ｃが回路支持台８のフック係合部８ａと係合することにより、時計ムーブメント１に固定される。
【００２３】
金属板２１と太陽電池支持台２２は樹脂フィルムを基材とした太陽電池１０の太陽電池支持枠２０への固定をより安定化させる補助部品である。
【００２４】
図１２は太陽電池１０と回路基板６の導通を示す要部断面図である、図において、太陽電池１０の下面にある端子１０ｄと回路基板６とは板バネ１４により導通をとっている。
【００２５】
図１３は図７〜１２を用いて説明した本発明の充電式太陽電池付時計の時計ムーブメント１に文字板１５、中枠部材である文字板固定枠１６を固定した状態を示す部分断面図であり、図１４はその平面図である。図において、１６は文字板固定枠であり、その段部１６ｂを回路支持台８の下面と当接させ、フック部１６ａが回路支持台８のフック係合部８ｂと係合することにより時計ムーブメント１に固定される。１５は文字板であり、その切り欠き部１５ａが文字板固定枠１６の文字板固定ピン部１６ｃに圧入係合されることにより文字板固定枠１６を介して時計ムーブメント１に固定される。１８は時計ケース１７に固定されるガラスである。１７は時計ケースであり、１７ａ見切り部により文字板の見える範囲を決めている。
【００２６】
本実施例２において、時計のデザイン要求や薄型化の要求が有った場合は太陽電池支持枠２０の第１フック部２０ｂの抱え込む形状を変更することで、太陽電池１０の太陽電池支持枠２０への固定安定化補助部品である金属板２１と太陽電池支持台２２のどちらか片方または両方とも廃止することは可能である。また、本実施例２おいて太陽電池支持枠２０の凸部２０ａに対する太陽電池支持台２２の凹部２２ａの締め代を調整して圧入係合の固定力を増すことにより、太陽電池１０は金属板２１とともに太陽電池支持枠２０と太陽電池支持台２２との間に挟みこまれる形で固定することが可能となり、太陽電池支持枠２０の第１フック部２０ｂの抱え込む形状を廃止することは可能である。
【図面の簡単な説明】
【００２７】
【図１】本発明の一実施形態を示す太陽電池付時計のムーブメント構造の部分断面図である。（実施例１）
【図２】本発明の一実施形態を示す太陽電池付時計のム−ブメント構造の平面図である。（実施例１）
【図３】本発明の一実施形態を示す太陽電池付時計の太陽電池の位置決めを示す要部平面図である。（実施例１）
【図４】本発明の一実施形態を示す太陽電池付時計の太陽電池の太陽電池支持枠への固定を示す要部断面図である。（実施例１）
【図５】本発明の太陽電池付時計の時計ムーブメントへの文字板、文字板固定枠の固定構造を示す部分断面図である。（実施例１）
【図６】本発明の太陽電池付時計の時計ムーブメントへの文字板、文字板固定枠の固定構造を示す平面図である。（実施例１）
【図７】本発明の一実施形態を示す太陽電池付時計のムーブメント構造の部分断面図である。（実施例２）
【図８】本発明の一実施形態を示す太陽電池付時計のム−ブメント構造の平面図である。（実施例２）
【図９】本発明の一実施形態を示す太陽電池付時計の太陽電池と金属板の位置決めを示す要部平面図である。（実施例２）
【図１０】本発明の一実施形態を示す太陽電池付時計の太陽電池支持台の位置決めを示す要部平面図である。（実施例２）
【図１１】本発明の一実施形態を示す太陽電池付時計の太陽電池の太陽電池支持枠への固定を示す要部断面図である。（実施例２）
【図１２】本発明の一実施形態を示す太陽電池付時計の太陽電池と回路基板の導通を示す要部断面図である。（実施例２）
【図１３】本発明の太陽電池付時計の時計ムーブメントへの文字板、文字板固定枠の固定構造を示す部分断面図である。（実施例２）
【図１４】本発明の太陽電池付時計の時計ムーブメントへの文字板、文字板固定枠の固定構造を示す平面図である。（実施例２）
【図１５】従来の太陽電池付時計のムーブメント構造の部分断面図である。
【図１６】従来の太陽電池付時計のム−ブメント構造の平面図である。
【図１７】従来の太陽電池付時計の太陽電池と回路基板の導通を示す要部断面図である。
【図１８】従来の太陽電池付時計の時計ムーブメントへの文字板、文字板固定枠の固定構造を示す部分断面図である。
【図１９】従来の太陽電池付時計の時計ムーブメントへの文字板、文字板固定枠の固定構造を示す平面図である。
【符号の説明】
【００２８】
１  時計ムーブメント
３  地板
４  輪列受
５  輪列ブロック
６  回路基板
７  各指針
８  回路支持台
９  固定ネジ
１０  太陽電池
１１  両面テ−プ
１２  金属板
１３  導通テープ
１４  板バネ
１５  文字板
１６  文字板固定枠
２０  太陽電池支持枠
２１  金属板
２２  太陽電池支持台
【図１】
2005221447.tif 000003
【図２】
2005221447.tif 000004
【図３】
2005221447.tif 000005
【図４】
2005221447.tif 000006
【図５】
2005221447.tif 000007
【図６】
2005221447.tif 000008
【図７】
2005221447.tif 000009
【図８】
2005221447.tif 000010
【図９】
2005221447.tif 000011
【図１０】
2005221447.tif 000012
【図１１】
2005221447.tif 000013
【図１２】
2005221447.tif 000014
【図１３】
2005221447.tif 000015
【図１４】
2005221447.tif 000016
【図１５】
2005221447.tif 000017
【図１６】
2005221447.tif 000018
【図１７】
2005221447.tif 000019
【図１８】
2005221447.tif 000020
【図１９】
2005221447.tif 000021